(57)【要約】【課題】  マンション等の集合住宅は、屋外に面した壁の無い中央の部屋に空気調和機を設置できなかった。【解決手段】  床下空調システムを空調対象空間の壁に設けた吹出し方向が斜め上向きまたは斜め下向きの、縦方向には単一の吹出し口と、空調対象空間の空気を吸込み、調整して床下空間に調和空気として吹出す室内機と、これと接続して冷凍サイクルを構成する室外機と、空調対象空間から室内機に至る還気通路と、空調対象範囲の床下空間及び空調対象空間の壁内に位置させた調和空気の吹出し通路とで構成する。【選択図】  図１
2006078128.tif 000002
【特許請求の範囲】
【請求項１】
空調対象空間から室内機に至る還気通路と、空調対象空間の空気を吸込み、床下空間に調和空気として吹出す室内機と、これと接続して冷凍サイクルを構成する室外機と、空調対象範囲の床下空間及び空調対象空間を囲む壁内の通気路とで構成した調和空気の吹出し通路と、空調対象空間の壁（幅木、回り縁、吹出し口台板を含む）に設けた吹出し口とからなり、吹出し口の吹出し方向が斜め上向きまたは斜め下向きとしたことを特徴とする床下空調システム。
【請求項２】
空調対象空間の壁の幅木に吹出し方向が斜め上向きの吹出し口を設けることを特徴とする請求項１記載の床下空調システム。
【請求項３】
空調対象空間の壁の回り縁に吹出し方向が斜め下向きの吹出し口を設けることを特徴とする請求項１記載の床下空調システム。
【請求項４】
壁板、幅木、回り縁または吹出し口台板に設けた孔と、前記孔に嵌め込むことにより吹出し口を形成する吹出し口部材とを備えることを特徴とする請求項１記載の床下空調システム。
【請求項５】
前記吹出し口部材が吹出し口の下方に背面に達する露処理開口を有し、前記開口の背面部を吸水部材で塞ぐことを特徴とする請求項４記載の床下空調システム。
【請求項６】
室内機を玄関のたたきに設置し、室内機の側面下部に設けた調和空気吹出し口と床下空間とを接続すると共に、室内機をガラリを設けた家具で覆うことを特徴とする請求項１記載の床下空調システム。
【発明の詳細な説明】
【技術分野】
【０００１】
本発明は空気調和システムに係り、特にマンション等の集合住宅用住戸空調システムに好適な床下空調システムに関する。
【背景技術】
【０００２】
近年マンション等の集合住宅は、建築費を節減するため階高を限界まで低くすることも求められている。しかしこのために天井高を低くすると居住者に圧迫感を与え、商品としての住戸の価値が下がるため、天井裏、床下のスペースを小さくする傾向にある。この様な状況で天井裏は照明器具の取付けに必要な最小限のスペースとし、床下は水回り配管に必要な最小限のスペースとして計画される案件が生じている。
【０００３】
一方、冷暖房の設備は新築時から整備されていることが求められるが、上記のような案件では、屋外に面した部屋は壁掛け型の空気調和機を設置できるが、屋外に面した壁の無い中央の部屋は壁掛け型の空気調和機を設置する場所が無く、また天井裏のスペースも低いので天井埋め込み型の空気調和機も設置することもできず、マンション等の集合住宅の場合、屋外に面した壁の無い中央の部屋に空気調和機を設置できなかった。
【０００４】
また、近年住宅建具の気密性が高くなっており、それに連れて空調負荷も減少し、特に集合住宅の場合、上下、左右に隣接する住戸があると、隣接住戸も空調しているため、隣接住戸との区画壁からの熱侵入や放熱が小さくなって、空調負荷が極端に下がり、少し大きめの空調機であれば一台で住戸全体の空調負荷を十分まかなえるようになった。しかし、従来の住戸の構造では調和空気を各部屋に分配することが困難で、相変わらず、屋外に面した壁の無い中央の部屋の空調に苦慮していた。
【０００５】
床下を空調装置のスペースとして利用することが上記問題点の解決に有効であると考えられる。床下を空調装置のスペースとして利用する技術として特開昭６３−２４３６４１号公報、実用新案登録第３０７６２２５号公報、特開平５−３１２３９３号公報がある。
【０００６】
【特許文献１】特開昭６３−２４３６４１号公報
【特許文献２】実用新案登録第３０７６２２５号公報
【特許文献３】特開平５−３１２３９３号公報
【発明の開示】
【発明が解決しようとする課題】
【０００７】
特許文献１は個人々の作業スペースを区画する立壁の下に送風機、立壁の中に切換えダンパーを設けて空調の立上り運転時には立壁上端から上方向に吹出し、定常運転時は立壁下端から横方向に吹出す。しかしこの方式は事業所の作業スペースの空調を行うもので、部屋全体を快適な空調状態にすると言うよりも個人個人の作業スペースだけの空調を考慮したものであり、また、吹出し風速を確保するため作業スペース毎に送風機を設けるか、メイン空調機の送風能力を上げるかしなくてはならず、１戸の住戸用システムには不向きである。
【０００８】
特許文献２は空調する部屋の床下空間の内面を空気を浄化する物体で作り、そこに空調する室内に設置した空調機で作られた調和空気を流して浄化し、床面の開口から室内に吹出すようにしている。また、空調機とは別の送風機により壁の一ヶ所からガラリを通して室内に吹出している。しかしこの方式では壁の吹出し口は一ヶ所のみであり、他の吹出し口は床面にあるので車椅子や杖などの歩行補助具を使用しての歩行や移動の障害になる。また、壁の吹出し口には別の送風機を設置しており設備が複雑になると共に、吹出し口の風向についてはなんら言及されていない。
【０００９】
特許文献３は空調運転開始時の立上り負荷をペリメーター部に設置したファンユニットへ床下から冷温風を供給することで乗切り、定常運転時はインテリア部のＯＡ機器、照明の発熱を冷却するための床下空調運転とペリメーター部でのコールドドラフト防止あるいは外気からの熱侵入を防止のためにペリメーター部のファンユニットの吸込み空気切換ダンパを切換えて定常運転時は室内空気を吸込むようにするものである。しかしこの方式は、大規模ビルを対象にした床下空調システムであり、専用の床下空調機室、窓際にペリメーター用ファンユニット、天井裏のリターンダクトなど大掛かりなもので１戸の住戸用システムには馴染まず、中央部の部屋は単純に床に設けた吹出し口から床下に流れる冷温風を吹出しているものでり、壁からの吹出しについての言及は無い。また、吹出し口が床面なので車椅子や杖などの歩行補助具を使用しての歩行や移動の障害になる。
【００１０】
本発明が解決しようとする第１の課題は、還気ダクト、吹出しダクト無しで、複数の部屋の冷暖房が可能で、且つ部屋全体を温度の片寄りの少ない快適な冷暖房空間とすることができる床下空調システムを提供することにある。
【００１１】
本発明が解決しようとする第２の課題は、吹出し風を直接身体に受けることができて即効性が有ると共に、低騒音で快適な冷暖房可能な床下空調システムを提供することにある。
【００１２】
本発明が解決しようとする第３の課題は、部屋全体を、風速を感じさせない穏やかな空気で満たせて、室内の温度分布の片寄りが少ない快適な冷暖房が可能な床下空調システムを提供することにある。
【００１３】
本発明が解決しようとする第４の課題は、部屋の模様変えや用途変更によって空調負荷が変っても、簡単な変更で空調能力を増減できると共に幅木または回り縁の加工も容易な床下空調システムを提供することにある。
【００１４】
本発明が解決しようとする第５の課題は、吹出し口周囲に付着する結露水の床への流下を防ぎ室内を汚さない床下空調システムを提供することにある。
【００１５】
本発明が解決しようとする第６の課題は、専用スペースを設けることなく住戸内の空間を有効に利用可能で住戸内の多数室の冷暖房が可能な、玄関の雰囲気に相応しい床下空調システムを提供することにある。
【課題を解決するための手段】
【００１６】
本発明が解決しようとする第１の課題は、空調対象空間から室内機に至る還気通路と、空調対象空間の空気を吸込み、床下空間に調和空気として吹出す室内機と、これと接続して冷凍サイクルを構成する室外機と、空調対象範囲の床下空間及び空調対象空間を囲む壁内の通気路とで構成した調和空気の吹出し通路と、空調対象空間の壁（幅木、回り縁、吹出し口台板を含む）に設けた吹出し口とからなり、吹出し口の吹出し方向が斜め上向きまたは斜め下向きとした床下空調システムにより達成される。
【００１７】
本発明が解決しようとする第２の課題は、空調対象空間の壁の幅木に吹出し方向が斜め上向きの吹出し口を設けた床下空調システムにより達成される。
【００１８】
本発明が解決しようとする第３の課題は、空調対象空間の壁の回り縁に吹出し方向が斜め下向きの吹出し口を設けた床下空調システムにより達成される。
【００１９】
本発明が解決しようとする第４の課題は、壁板、幅木、回り縁または吹出し口台板に設けた孔と、前記孔に嵌め込むことにより吹出し口を形成する吹出し口部材とを備えた床下空調システムにより達成される。
【００２０】
本発明が解決しようとする第５の課題は、前記吹出し口部材が吹出し口の下方に背面に達する露処理開口を有し、前記開口の背面部を吸水部材で塞いだ床下空調システムにより達成される。
【００２１】
本発明が解決しようとする第６の課題は、前記空調対象空間を住戸の複数の居住部とし、前記室内機を玄関のたたきに設置し、室内機の側面下部に設けた調和空気吹出し口と床下空間とを接続すると共に、室内機をガラリを設けた家具で覆った床下空調システムにより達成される。
【発明の効果】
【００２２】
請求項１記載の発明によれば、還気ダクト、吹出しダクト無しで、複数の部屋の冷暖房が可能で、且つ部屋全体を温度の片寄りの少ない快適な冷暖房空間とすることができる床下空調システムを提供することができる。
【００２３】
請求項２記載の発明によれば、吹出し風を直接身体に受けることができて即効性が有ると共に、低騒音で快適な冷暖房可能な床下空調システムを提供することができる。
【００２４】
請求項３記載の発明によれば、部屋全体を、空調を忘れさせる穏やかな空気で満たせる、室内の温度分布の片寄りが少ない快適な冷暖房可能な床下空調システムを提供することができる。
【００２５】
請求項４記載の発明によれば、部屋の模様変えや用途変更によって空調負荷が変っても、簡単な変更で空調能力を増減できると共に幅木または回り縁の加工も容易な床下空調システムを提供することができる。
【００２６】
請求項５記載の発明によれば、吹出し口周囲に付着する結露水の床への流下を防ぎ室内を汚さない床下空調システムを提供することができる。
【００２７】
請求項６記載の発明によれば、専用スペースを設けることなく住戸内の空間を有効に利用可能で住戸内の多数室の冷暖房が可能な、玄関の雰囲気に相応しい床下空調システムを提供することができる。
【発明を実施するための最良の形態】
【００２８】
以下、本発明の床下空調システムの実施例について図を用いて説明する。
【実施例１】
【００２９】
図２は本発明の実施例１を適用した集合住宅の住戸の平面図であり、図１は図２の集合住宅の住戸の断面図である。図４は幅木に設けた吹出し口の例であり、図５、図６は幅木に設けた吹出し口の他の例である。
【００３０】
１１は集合住宅１の中の一戸の住戸であり、リビング２１、寝室Ａ２２、寝室Ｂ２３、キッチン２４、バスルーム２５、洗濯室２６等からなり、一般的には東または南に面してベランダ３１、西または北に面して玄関２７、共用通路３２を設けている。
【００３１】
４２、４３は隣戸１２、１３との区画壁、４４は床スラブ、４５は天井スラブであり、下階住戸１４及び上階住戸１５との区画壁となり、天井スラブ４５の住戸側には照明器具の取付、配線に必要な最小限の隙間を隔てて内装天井１５６〜１５８が張られている。４６はベランダ３１に面する外壁でベランダ３１に通ずるテラス戸３３を嵌め込んでいる。４７は共用通路３２に面する外壁で玄関扉３４を嵌め込んである。３５はパイプシャフト、３７はメーターボックスである。
【００３２】
５１〜５６は区画壁４２、４３及び外壁４６、４７の内側に設けた内装壁であり、区画壁４２、４３及び外壁４６、４７との間に通気路５１ａ〜５６ａを設けている。１５１〜１５３は床スラブ４４から浮かせて敷いた内装床であり、床スラブ４４との間に床下空間１５４を構成し、各壁に設けた通気路５１ａ〜５６ａ、及び、次に述べる通気路６１ａ〜６６ａと連通している。
【００３３】
６１〜６６は住戸１１内の各部屋間の間仕切壁であり、壁内部に通気路６１ａ〜６６ａを設けている。７１〜７４は住戸１１内の各部屋の出入り口の扉であり、下部にガラリ等を設けて空調空気循環の還気通路となっている。８１は玄関２７のたたき３６に置かれた床下空調機であり側面下部に調和空気の吹出し口が設けられており、短い接続ダクト８６で床下空間１５４と連通し調和空気を床下空間１５４に供給している。８２は室内機８１と接続して空調運転を行う室外機、８３は室内機８１と室外機８２を接続する接続配管である。
【００３４】
９１〜９８は各内装壁５２〜５６及び各間仕切壁６１、６２と内装床１５１〜１５３との接隅部に設けた幅木であり、図１に表れないが内装壁５１、間仕切壁６３〜６６と内装床１５１〜１５３との接隅部にも幅木が設けられている。１０１〜１０８は幅木９１〜９８に設けられた吹出し方向が斜め上向きの吹出し口であり、床下空調機８１からの調和空気を床下空間１５４及び壁内の通気路５１ａ〜５６ａ、６１ａ〜６６ａを通して空調対象空間である住戸１１の各部屋２１〜２６に吹出し、各室内を快適にする。なお、図１に表れない幅木にも必要に応じて吹出し口が設けられていて、それぞれの空調対象空間に調和空気を吹出している。幅木に設ける吹出し口は図４にその立断面を示すように縦方向には単一の吹出し口が壁内から室内側に向かうに連れ斜め上方向に導かれるように形成され、吹出し風が斜め上方向に吹出す。
【００３５】
またこの場合、空調空気の吹出し口を幅木に設けているので、壁と床との接遇部に普通にめぐらされていて馴染みのある幅木に吹出し口を設けることにより空調対象空間の意匠的な調和を乱すことなく冷暖房の吹出し口を設けることができ空調対象空間の造作に融け込み違和感を感じさせない効果がある。
【００３６】
また、吹出し口の大きさや数は空調対象空間の空調負荷に応じて設定することにより各部屋間でバランスの良い空調結果が得られる。この場合、その部屋の空調負荷に応じて吹出し口を部分的に省略することも、あるいは一つの壁面には全く吹出し口を設けないことも自由にできる。
【００３７】
更に、本実施例では幅木に吹出し口を設けたが、幅木を省略して直接壁に吹出し口を設けても良い。また、幅木に吹出し口を開けるのも縦方向に１個のスリットのみを設けるので簡単になり、個々の吹出し口の吹出し面積を小さくできるので、各部屋の複数の壁に複数の吹出し口を設けても吹出し風速が極端に小さくなることが無い。このように、部屋の中の複数の吹出し口から調和空気を少しずつ吹出すことで室内を略一様に空調することができる。
【００３８】
なお、幅木の吹出し口の大きさを調整する方法として図５（ａ）のように幅木自体には略長方形の孔９１ａ〜９８ａを開けておき、吹出し口の幅Ｂを変えた合成樹脂などの材料で成形した吹出し口部材１００を数種類用意しておき、部屋の空調負荷に応じて吹出し口部材１００を付替える方法でも良く、更に、図５（ｂ）のように吹出し口部材１００に吹出し口の大きさを変える蓋１００ａを付加し、実際の使用時の空調負荷に合わせて蓋１００ａの位置を←→のように調節して吹出し口の大きさを変えるようにすると一層便利である。この様にすると実際の居住時に家具の配置に合わせた吹出し口の大きさの設定ができよりバランスの取れた空調を行うことができる。
【００３９】
また、特に湿度の高いところでは、図６に示すような露処理構造を持った吹出し口部材を使用するのが良い。一般に、高湿時の冷房運転初期には冷房運転の冷風で冷やされた吹出し口周囲に湿度の高い室内の空気が触れて結露を生じる。結露水の量は冷房運転開始から時間が経つに従ってだんだん多くなるが、室内の湿度が冷房運転により低下してくるに従ってその増加する割合は減ってゆき、更に、結露水が絶対湿度の低い吹出し風に曝されることによる結露水からの蒸発も有って結露水の量は増加しなくなる。この結露水の量が多いと吹出し口周囲に付着した結露水が流下して室内を汚す。これを防ぐため、本発明では流下した結露水を吹出し口１０１〜１０８の下方に設けた露処理開口１０１ａ〜１０８ａで受け、露処理開口１０１ａ〜１０８ａの中を背面側に導き、背面側開口部を塞ぐように設置した吸水部材１０９に吸収させる。この時、露処理開口１０１ａ〜１０８ａは吸水部材１０９で塞がれているので、結露水だけが流下し冷風が通ることはない。この為、この露処理開口１０１ａ〜１０８ａの下辺は冷風に曝されず、冷却されないので室温に近く、露が付くことがない。従って、この部より下方には露処理用の開口は必要なく、床に結露水が流下することがなく室内が汚れることはない。
【実施例２】
【００４０】
次に、実施例２に付いて説明する。図３は本発明の実施例２を適用した集合住宅の住戸の断面図である。実施例２は実施例１の空調対象空間への空調空気の吹出しを幅木の吹出し口から吹出すのに代えて、内装天井と内装壁及び各間仕切壁との接遇部に設けた回り縁の吹出し口から吹出すものである。
【００４１】
１１１〜１１９は各内装壁５２〜５６及び各間仕切壁６１、６２と内装天井１５６〜１５８との接隅部に設けた回り縁であり、図３に表れないが内装壁５１、間仕切壁６３〜６６と内装天井１５６〜１５８との接隅部にも回り縁が設けられている。１２１〜１２９は回り縁１１１〜１１９に設けられた吹出し方向が斜め下向きの吹出し口であり、床下空調機８１からの調和空気を床下空間１５４及び壁内の通気路５１ａ〜５６ａ、６１ａ〜６６ａを通して空調対象空間である住戸１１の各部屋２１〜２６に吹出し、各室内を快適にする。なお、図１に表れない回し縁にも必要に応じて吹出し口が設けられていて、それぞれの空調対象空間に調和空気を吹出している。回り縁に設ける吹出し口は幅木の場合と同様に縦方向には単一の吹出し口が壁内から室内側に向かうに連れ斜め下方向に導かれるように形成され、吹出し風が斜め下方向に吹出す。
【００４２】
またこの場合、空調空気の吹出し口を回り縁に設けているので、壁と天井との接遇部に普通にめぐらされていて馴染みのある回り縁に吹出し口を設けることにより空調対象空間の意匠的な調和を乱すことなく冷暖房の吹出し口を設けることができ空調対象空間の造作に融け込み違和感を感じさせない効果がある。
【００４３】
また、吹出し口の大きさや数は空調対象空間の空調負荷に応じて設定すると各部屋間でバランスの良い空調結果が得られる。この場合、その部屋の空調負荷に応じて吹出し口を部分的に省略することも、あるいは一つの壁面には全く吹出し口を設けないことも自由にできる。
【００４４】
更に、本実施例では回り縁に吹出し口を設けたが、回り縁を省略して直接壁に吹出し口を設けても良い。また、回り縁に吹出し口を開けるのも縦方向に１個のスリットのみを設けるので簡単になり、個々の吹出し口の吹出し面積を小さくできるので、部屋の複数の壁に複数の吹出し口を設けても吹出し風速が極端に小さくなることが無い。このように、部屋の中の複数の吹出し口から調和空気を少しずつ吹出すことで室内を略一様に空調することができる。
【００４５】
なお、回り縁の吹出し口の大きさを調整する方法として幅木の場合と同様に回り縁自体には略長方形の孔を開けておき、吹出し口の幅を変えた合成樹脂などの材料で成形した吹出し口部材を数種類用意しておき、部屋の空調負荷に応じて吹出し口部材を付替える方法でも良く、更に、吹出し口部材に吹出し口の大きさを変える蓋を付加し、実際の使用時の空調負荷に合わせて蓋の位置を調節して吹出し口の大きさを変えるようにすると一層便利である。この様にすると実際の居住時に家具の配置に合わせた吹出し口の大きさの設定ができよりバランスの取れた空調を行うことができる。
【００４６】
また、特に湿度の高いところでは、図６に示すような露処理構造を持った吹出し口部材を使用するのが良い。吹出し口周囲に付着した結露水の床への流下を防ぐため、本発明では流下した結露水を吹出し口１２１〜１２９の下方に設けた露処理開口１２１ａ〜１２９ａで受け、露処理開口１２１ａ〜１２９ａの中を背面側に導き、背面側開口部を塞ぐように設置した吸水部材１０９に吸収させる。この時、露処理開口１２１ａ〜１２９ａは吸水部材１０９で塞がれているので、結露水だけが流下し冷風が通ることはない。この為、この露処理開口１２１ａ〜１２９ａの下辺は冷風に曝されず、冷却されないので室温に近く、露が付くことがない。従って、この部より下方には露処理用の開口は必要なく、床に結露水が流下することがなく室内が汚れることはない。
【００４７】
また、部屋の模様変えを行うと吹出し口の位置を変える必要が出て来たり、部屋の用途を変更したり、電気機器の大幅な変更をすると空調負荷が変わる場合があり、この場合、幅木または回り縁を取替えて吹出し口の大きさを変えるのは現実的でなく、また幅木または回り縁をつけたまま追加工で吹出し口を大きくするのも困難である。
【００４８】
一般的に木製板材の孔開け加工において、板の表面から斜めに傾斜を付けて孔を開けるのは困難である。この為本発明では、幅木又は回り縁には加工が容易なように壁面と当接する面に垂直な孔を開け、幅木又は回り縁とは別に吹出し口部材を備える。
【００４９】
また、吹出し口部材を取付ける相手として幅木または回り縁を使用しているが、もともと幅木または回り縁を設けない造りの場合や、空調効果を追及する場合や、空調対象空間の使用目的や家具の配置によってはこうした馴染みのある部材による意匠上の効果を若干犠牲にして、あるいは意匠上の工夫を凝らして幅木または回り縁の位置以外の場所に吹出し口部材を取り付ける吹出し口台板を設け、その位置に対応した吹出し角度をもった吹出し口を設置しても良い。更にこの場合、すべての吹出し口の高さが同じである必要は無く、空調対象に合わせて、有るものは低い位置にあるものは高い位置に設けることもできる。更にまた、これら幅木または回り縁を省略し、直接、壁に設けた孔に吹出し口部材を取付けても同様の空調効果をもたらすことは言うまでもない。
【００５０】
また、空調空気の吹出し口が壁面に有り床面には無いので、車椅子や杖などの歩行補助具を使用しての歩行や移動の障害にならず、また、吹出し口から小間物や、床面の塵が下に落ちることも無い。
【００５１】
また、近年住宅建具の気密性が高くなっており、それに連れて空調負荷も減少し、特に集合住宅の場合、上下、左右に隣接する住戸があると、隣接住戸も空調しているため、隣接住戸との区画壁からの熱侵入や放熱が小さくなって、空調負荷が極端に下がり、少し大きめの空調機であれば一台で住戸全体の空調負荷を十分まかなえ、従来の様に各部屋毎の室内機が不要になり部屋の中がすっきりし、設置作業も簡単になる。
【００５２】
また、室内機を玄関たたきに置くことにより、内装床に穴をあけて床下に設置するのに比べて設置の手間も少なくて済み、加えて床下に設置した室内機の吸込み口に室内空気を還流させるための特別な吸込みダクトや床吸込み口が不要となって設置面積を小さくでき高価な床面積を節約できる。
【００５３】
また、室内機を住戸内の共用スペースである玄関に設置したので、各部屋からの還気通路は各部屋の扉に設けた還気ガラリのみで十分で還気通路の形成が簡単になる。更にまた、室内機を居住空間になく、居住空間から離れた玄関に置かれているので、室内機が発する騒音の影響を大幅に軽減でき、静かな空調を実現できる。
【００５４】
また、室内機を床５８から降下させて設置し、室内機の側面下部に設けた調和空気吹出し口と床下空間のレベルを合わせたことにより、床下空間への接続が簡単になり接続スペースを小さくできると共に、室内機の上方空間を靴箱の一部にするなどして有効に利用できる。
【００５５】
なお、室内機８１の外観が設置場所の内装雰囲気に合わない場合は、図８に示すように内部に室内機８１の収納部を設けて室内機８１の空気吸込み口に対向した部分にガラリ８５を設置した化粧箱８４で覆い、全体を設置場所の内装雰囲気に合わせて、靴箱、戸棚、本棚、花瓶台等の家具とした構造、意匠にすることにより内装雰囲気を保持できる。
【００５６】
以上説明したように請求項１記載の発明による床下空調システムは空調対象空間から室内機に至る還気通路と、空調対象空間の空気を吸込み、床下空間に調和空気として吹出す室内機と、これと接続して冷凍サイクルを構成する室外機と、空調対象範囲の床下空間及び空調対象空間を囲む壁内の通気路とで構成した調和空気の吹出し通路と、空調対象空間の壁（幅木、回り縁、吹出し口台板を含む）に設けた吹出し口とからなり、吹出し口の吹出し方向が斜め上向きまたは斜め下向きとしたことにより、還気通路、吹出し通路として廊下、床下空間、壁内空間を使用するので、特別の還気ダクト、吹出しダクトが不要になり、これに伴う資材、工期等を節約でき、吹出し口が壁面なので車椅子や杖などの歩行補助具を使用しての歩行や移動の障害にならず、吹出し口を部屋の四方の壁に設置できるので、吹出し口からの冷温風で室内を隈なく空調し、かつ、床下空間を流れる調和空気で床面が適度に冷やされ或いは温められて床面からの輻射冷暖房効果が加わり快適になる。また、壁板、幅木、回り縁または吹出し口台板に吹出し口を開けるのも横方向のスリットを縦方向には１個のみ設けるので加工が簡単で、個々の吹出し口の吹出し面積が小さくなるため、部屋の四方の壁に複数の吹出し口を設けても吹出し風速が極端に小さくなることが無いので、還気ダクト、吹出しダクト無しで、複数の部屋の冷暖房が可能で、且つ部屋全体を温度の片寄りの少ない快適な冷暖房空間とすることができる床下空調システムを得ることができる。
【００５７】
また、請求項２記載の発明による空気調和機は空調対象空間の壁の幅木に吹出し方向が斜め上向きの吹出し口を設けることにより、吹出し口が幅木なので使用者の身体に近い所から冷温風が吹出し、直接冷温風を身体に受けて冷風感、温風感を存分に味わえる。また、冷風を吹上げても自然対流で下降するので部屋の温度分布は良好に保たれ、暖房時は床面からの輻射暖房効果で温風を吹上げても、快適性は損なわれことが無く、更に、吹出し位置が床に近いので壁内の冷温風通路が短くて済み、室内機の所要風圧を小さくできて、低騒音のシステムになるので、吹出し風を直接身体に受けることができて即効性が有ると共に、低騒音で快適な冷暖房可能な床下空調システムを得ることができる。
【００５８】
また、請求項３記載の発明による空気調和機は空調対象空間の壁の回り縁に吹出し方向が斜め下向きの吹出し口を設けることにより、床面からの輻射冷暖房効果に加えて、吹出し口が回り縁なので壁内の通気路を流れる調和空気で壁面が適度に冷やされ或いは温められて壁面からの輻射冷暖房が加わり、過度の冷風感、熱風感が無い。また、温風を吹下げても自然対流で上昇するので部屋の温度分布は良好に保たれ、冷房時は部屋の最上部からの吹出しでも自然対流で床面に下降し、快適性が損なわれことが無いので、部屋全体を、風速を感じない穏やかな空気で満たせて、室内の温度分布の片寄りが少ない快適な冷暖房可能な床下空調システムを得ることができる。
【００５９】
また、請求項４記載の発明による空気調和機は壁板、幅木、回り縁または吹出し口台板に設けた孔と、前記孔に嵌め込むことにより吹出し口を形成する吹出し口部材とを備えることにより、壁孔、吹出し口台板、室内に造りつけた幅木または回り縁を変えずに、壁孔、吹出し口台板、幅木または回り縁をそのままにして、壁孔、吹出し口台板、幅木または回り縁自体には略長方形の孔を開けておき、吹出し口の大きさを変えた合成樹脂などの材料で成形した吹出し口部材を数種類用意しておき、部屋の空調負荷に応じて吹出し口部材を付替えたり、更に、吹出し口部材に吹出し口の大きさを変える蓋を付加し、実際の使用時の空調負荷に合わせて蓋の位置を調節して吹出し口の大きさを変えて、吹出し面積を変え空調能力を変えることが簡単にその場で可能となる。また、壁、吹出し口台板、幅木または回り縁板の表面から垂直に孔を開けるため、壁、吹出し口台板、幅木または回り縁の加工が極めて容易になるので、部屋の模様変えや用途変更によって空調負荷が変っても、簡単な変更で空調能力を増減できると共に幅木または回り縁の加工も容易になることができる。
【００６０】
また、請求項５記載の発明による空気調和機は前記吹出し口部材が吹出し口の下方に背面に達する露処理開口を有し、前記開口の背面部を吸水部材で塞ぐことにより、流下した結露水を吹出し口の下方に設けた露処理開口で受け、露処理開口の中を背面側に導き、背面側開口部を塞ぐように設置した吸水部材に吸収させる。この時、露処理開口は吸水部材で塞がれているので、結露水だけが流下し冷風が通ることはない。この為、この露処理開口の下辺は冷風に曝されず、冷却されないので室温に近く、露が付くことがなく冷風吹出し口の最終の露処理開口の機能を維持し続けるので、吹出し口周囲に付着する結露水の床への流下を防ぎ室内を汚さないことができる。
【００６１】
また、請求項６記載の発明による空気調和機は前記空調対象空間を住戸の複数の居住部とし、前記室内機を玄関のたたきに設置し、室内機の側面下部に設けた調和空気吹出し口と床下空間とを接続すると共に、室内機をガラリを設けた家具で覆うことにより、１台の室内機で複数の部屋の空調が可能になり、各部屋毎の設置スペースが不要になると共に、その設置面も住戸の最下面である住戸玄関のたたきに室内機を置いたので高さ方向のスペースが節約でき、室内機の上方のスペースを他の用途に使用でき、更に室内機側面の吹出し口と床下空間が略同一の高さになり、吹出し口と床下空間の接続を少ないスペースで行うことができ、室内機の吹出し口から框とたたきの間に設けた床下空間に連通する開口に調和空気を吹込むと共に、通風部にガラリを設けた靴箱などの玄関にふさわしい家具で覆うので、専用スペースを設けることなく住戸内の空間を有効に利用可能で住戸内の多数室の冷暖房が可能な、玄関の雰囲気に相応しい床下空調システムを得ることができる。
【図面の簡単な説明】
【００６２】
【図１】図２の集合住宅の住戸の断面図。
【図２】本発明の一実施例を適用した集合住宅の住戸の平面図。
【図３】本発明の他の実施例を適用した集合住宅の住戸の断面図。
【図４】幅木に設けた吹出し口の例。
【図５】幅木に設けた吹出し口の他の例。
【図６】幅木に設けた吹出し口の他の例。
【図７】回り縁に設けた吹出し口の例。
【図８】本発明の室内機を覆う家具の例。
【符号の説明】
【００６３】
１…集合住宅、１１…住戸、１２、１３…隣戸、１４…下階住戸、１５…上階住戸、２１…リビング、２２…寝室Ａ、２３…寝室Ｂ、２４…キッチン、２５…バスルーム、２６…洗濯室、２７…玄関、３１…ベランダ、３２…共用通路、３３…テラス戸、３４…玄関扉、３５…パイプシャフト、３６…玄関のたたき、３７…メーターボックス、４２、４３…区画壁、４４…床スラブ、４５…天井スラブ、４６、４７…外壁、５１〜５６…内装壁、５１ａ〜５６ａ…通気路、６１〜６６…間仕切壁、６１ａ〜６６ａ…通気路、７１〜７４…扉、８１…床下空調機、８２…室外機、８３…接続配管、８４…化粧箱、８５…化粧箱のガラリ、８６…接続ダクト、９１〜９８…幅木、９１ａ〜９８ａ…幅木に開けた孔、１００…幅木の吹出し口部材、１００ａ…幅木吹出し口の蓋、１０１〜１０８…幅木吹出し口、１０１ａ〜１０８ａ…露処理開口、１０９…吸水部材、１１１〜１１９…回り縁、１１１ａ〜１１９ａ…回り縁に開けた孔、１２０…回り縁の吹出し部材、１２０ａ…回り縁の吹出し口の蓋、１２１〜１２９…回り縁吹出し口、１２１ａ〜１２９ａ…露処理開口、１５１〜１５３…内装床、１５４…床下空間、１５６〜１５８内装天井、１５９…天井空間。
【図１】
2006078128.tif 000003
【図２】
2006078128.tif 000004
【図３】
2006078128.tif 000005
【図４】
2006078128.tif 000006
【図５】
2006078128.tif 000007
【図６】
2006078128.tif 000008
【図７】
2006078128.tif 000009
【図８】
2006078128.tif 000010